(57)【要約】本発明は、使用者の通信端末を通じて使用者に学習情報をランダムに提供する方法及び装置に関する。本発明は、使用者により保持された移動通信端末機によって学習情報を提供することにより、学生の外国言語の単語能力の向上或いは化学的又は科学的な式の学習成果に効果が得られる。本発明による方法は、メモリーに格納された不定期時間間隔モードの内の１つ、または計算機によって計算された不定期時間間隔の内の１つを選択する段階と、使用者の選択に基づき暗記すべき単語情報グループを選択した該使用者によって単語を不定期に供給する機能が選択された場合に、該選択された単語情報グループ内の単語を移動通信端末機を通じて音響や文字でランダムに出力する段階と、該選択された単語情報グループの暗記が完了した場合に、使用者の選択に基づいて他の単語情報グループを選択する段階とを含む。【選択図】図１
2011516905.tif 000002
【特許請求の範囲】
【請求項１】
不定期時間間隔を計算することができる不定期時間間隔計算部；
暗記対象である単語情報を多数の単語グループでそれぞれ分類して保存するメモリー部；
上記不定期時間間隔計算部で計算された時間間隔により各単語グループ内に保存された単語を順次または任意に選択する制御部；  及び、
上記制御部の制御によって選択された単語を表示する表示部
を具備することを特徴とする単語情報アラーム装置。
【請求項２】
請求項１において、
上記単語グループは、暗記対象である単語情報を水準別、表示頻度別、カテゴリー別の中で少なくともいずれか一つ以上に分類して、各分類に少なくとも一つ以上の段階別で複数個の単語が収集されたことを特徴とする不定期時間間隔で作動する単語情報アラーム装置。
【請求項３】
請求項１において、
上記不定期時間間隔は、π値を利用した演算、時間値を利用した演算の中で選択された一つの方法によって算出されることを特徴とする不定期時間間隔で作動する単語情報アラーム装置。
【請求項４】
請求項１において、
単語情報の提供時に発音またはアラーム音も一緒に提供するようにする音響制御部及び音響発生部をさらに具備することを特徴とする不定期時間間隔で作動する単語情報アラーム装置。
【請求項５】
請求項１において、
前記メモリー部は、コードレス通信及び電波を通じて上記単語情報を受信する受信部を具備することを特徴とする不定期時間間隔で作動する単語情報アラーム装置。
【請求項６】
請求項１において、
上記メモリー部は、通信サービスプロバイダの単語学習サービスの無線インターネット接続の識別番号を持つ単語情報が保存され、
上記制御部は、上記無線インターネット接続の識別番号を持つ単語のアラームの作動時に使用者が発信ボタンを押せば、表示された単語情報に対応する無線インターネット接続の識別番号を通じて単語学習のサービスに自動で接続するようにすることを特徴とする不定期時間間隔で作動する単語情報アラーム装置。
【請求項７】
請求項６において、
使用者が加入通信サービスプロバイダを変更する場合、ＲＦ送受信部または専用ケーブルに変更された通信サービスプロバイダの単語学習サービスの無線インターネット接続の識別番号を持つ単語情報をメモリーに新たに保存することができることを特徴とする不定期時間間隔で作動する単語情報アラーム装置。
【請求項８】
請求項６において、
上記単語情報は、上記単語学習サービスで該当の単語情報が開始された画面に直接接続することができる学習情報の接続識別番号をさらに具備することを特徴とする不定期時間間隔で作動する単語情報アラーム装置。
【請求項９】
暗記対象である単語情報を多数の単語グループでそれぞれ分類して保存して、一つ以上の不定期時間間隔モードを保存するメモリー部；
上記メモリー部に保存された不定期時間間隔モードによってグループ内に保存された単語を順次または任意に選択する制御部；  及び、
上記制御部の制御によって選択された単語が表示される表示部を具備することを特徴とする不定期時間間隔で作動する単語情報アラーム装置。
【請求項１０】
請求項９において、
上記単語グループは、暗記対象である単語を水準別、表示頻度別、カテゴリー別の中で少なくともいずれか一つ以上に分類して、各分類に少なくとも一つ以上の段階別で複数個の単語が収集されたことを特徴とする不定期時間間隔で作動する単語情報アラーム装置。
【請求項１１】
請求項９において、
上記不定期時間間隔は、π値を利用した演算、時間値を利用した演算の中で選択された一つの方法によって算出されて、
上記不定期時間間隔モードは、上記方法によって算出された不定期時間間隔が少なくとも一つ以上のモードに保存されたことを特徴とする不定期時間間隔で作動する単語情報アラーム装置。
【請求項１２】
請求項９において、
単語情報を提供時発音またはアラーム音も一緒に提供するようにする音響制御部及び音響発生部をさらに具備することを特徴とする不定期時間間隔で作動する単語情報アラーム装置。
【請求項１３】
請求項９において、
上記メモリー部は、無線通信及び電波を通じて上記単語情報を受信する受信部を具備することを特徴とする不定期時間間隔で作動する単語情報アラーム装置。
【請求項１４】
請求項９において、
上記メモリー部は、通信サービスプロバイダの単語学習サービスの無線インターネット接続の識別番号を持つ単語情報が保存され、
上記制御部は、上記無線インターネット接続の識別番号を持つ単語のアラームの作動時に使用者が発信ボタンを押せば、表示された単語情報に対応する無線インターネット接続の識別番号を通じて無線インターネットサービスに接続するようにすることを特徴とする不定期時間間隔で作動する単語情報アラーム装置。
【請求項１５】
請求項１４において、
使用者が加入した通信サービスプロバイダを変更する場合、ＲＦ送受信部または専用ケーブルに変更された通信サービスプロバイダの単語学習サービスの無線インターネット接続の識別番号を持つ単語情報をメモリーに新たに保存することができることを特徴とする不定期時間間隔で作動する単語情報アラーム装置。
【請求項１６】
請求項１４において、
上記単語情報は、
上記単語学習サービスで該当の単語情報が開始された画面に直接接続することができる学習情報接続識別番号をさらに具備することを特徴とする不定期時間間隔で作動する単語情報アラーム装置。
【請求項１７】
通信サービスプロバイダのサーバーと移動通信端末機が無線通信で繋がれる単語情報アラーム装置において、
通信サービスプロバイダのサーバーは、
不定期時間間隔を計算することができる不定期時間間隔計算部；
暗記対象である単語情報を多数の単語グループでそれぞれ分類して保存するメモリー部；
上記不定期時間間隔計算部で計算された時間間隔で各単語グループ内に保存された単語を順次または任意に選択する制御部；を具備し、
上記選択した単語を無線通信を通じて移動通信端末機へ送ることを特徴とする単語情報アラーム装置。
【請求項１８】
使用者から不定期時間間隔で作動する単語情報アラーム機能が選択されれば、メモリーに保存された不定期時間間隔モードまたは不定期時間間隔計算部を通じる不定期時間間隔の中で一つを選択する段階；
上記使用者が暗記すべき単語情報グループを選択する段階；
移動通信端末機を通じて文字または音響として上記選択された単語情報グループの単語情報を露出する段階；及び、
選択された単語情報グループが暗記完了した場合に、上記使用者により他の単語情報グループが選択される段階
を具備することを特徴とする不定期時間間隔で作動する単語情報アラーム方法。
【請求項１９】
単語情報アラーム装置の単語アラーム機能の作動を選択して単語アラーム機能を始める段階；
単語アラーム時点になればアラームとともに無線インターネットの接続識別番号を持つ単語情報を表示する段階；
単語アラームが作動すれば使用者が無線インターネット接続を通じた追加学習の可否を決める段階；
使用者が無線インターネット接続のための発信ボタンを押した場合、使用者が加入した通信サービスプロバイダの無線インターネットの英語単語サービスに自動で接続する段階
を具備することを特徴とする不定期時間間隔で作動する単語情報アラーム方法。
【発明の詳細な説明】
【技術分野】
【０００１】
本発明は、効率的な単語の暗記と語彙力を増加させるための単語情報アラーム装置に関し、特に、単語を不定期時間間隔で提供することで語彙力の増強を図ることができる単語情報アラーム装置に関するものである。
【背景技術】
【０００２】
一般に、外国語の学習にあたって要求される最も重要な事項は、語彙力を増加させることである。このような語彙力の向上のために多様な方法が使われており、また、可能な時間内に効果的に語彙力を増加させようとすることが全ての学習者の基本的な要求事項でもある。語彙力の増加のための一つの方法として、大韓民国特許第２００６−００９３９６７号明細書には、「移動通信端末機を利用した周期的単語情報アラーム装置及び方法」が開示されている。
【０００３】
この大韓民国特許第２００６−００９３９６７号明細書では、移動通信端末機に使用者が入力した単語情報を保存して、ヘルマンエビングハウス忘却曲線によるアラーム周期または使用者の選択によるアラーム周期を設定して、当該使用者の選択によるアラーム周期によって前記保存された単語情報が使用者に提供される単語提供方法が開示されている。
【０００４】
しかしながら、このような従来の技術による単語の提供方法は、使用者が特定周期に慣れることにより学習効果が落ちる問題点があり、提示されたヘルマンエビングハウスの忘却曲線によるアラーム周期の学習方法は、一度露出した単語を露出時点に意識的に暗記しなければ単語暗記効果が現われないという問題点があった。
【０００５】
また、使用者が暗記しようとする単語をいちいち入力して各々の単語ごとにいちいち周期を指定しなければならない煩わしさが隋伴される問題点があった。
【発明の概要】
【発明が解決しようとする課題】
【０００６】
このような問題点を解決するため、本発明の目的は、使用者の初期設定を通じて不定期時間間隔で単語情報を繰り返して接するようにすることで単語暗記に手助けになることができる、不定期時間間隔で作動する単語情報アラーム装置を提供することにある。
【課題を解決するための手段】
【０００７】
かかる目的を達成するための本発明による単語情報アラーム装置は、不定期時間間隔を計算することができる不定期時間間隔計算部と、暗記対象である単語情報を多数の単語グループにそれぞれ分類して保存するメモリー部と、前記不定期時間間隔計算部で計算された時間間隔で各単語グループ内に保存された単語を順次または任意に選択する制御部と、前記制御部の制御によって選択された単語を表示する表示部とを具備する。
【０００８】
また、本発明の他の側面による単語情報アラーム装置は、暗記対象である単語情報を多数の単語グループでそれぞれ分類して保存して、一つ以上の不定期時間間隔モードを保存するメモリー部； 上記メモリー部に保存された不定期時間間隔モードによってグループ内に保存された単語を順次または任意に選択する制御部； 及び上記制御部の制御によって選択された単語が表示される表示部を具備して構成することができる。
【０００９】
ここで、上記単語情報グループは、暗記対象である単語を水準別、使用頻度別、カテゴリー別の中で少なくともどの一つ以上に分類して、各分類に少なくとも一つ以上の段階別で複数個の単語が収集されたことが望ましい。
【００１０】
さらに、上記不定期時間間隔は、π値を利用した演算、時間値を利用した演算の中で選択された一つの方法によって算出されて、上記不定期時間間隔モードは上記方法によって算出された不定期時間間隔が少なくとも一つ以上のモードに保存されたことが望ましい。
【００１１】
また、本発明による単語情報アラーム方法は、不定期時間間隔で作動する単語情報アラーム機能が使用者により選択されれば、メモリーに保存された不定期時間間隔モードまたは不定期時間間隔計算部で計算された不定期時間間隔の中で一つを選択する段階； 上記使用者により暗記する単語情報グループを選択する段階； 移動通信端末機表示部を通じて文字形態や音響で単語情報を露出する段階； 暗記完了した単語情報を単語情報グループから除く段階； 及び、選択された単語情報グループが暗記完了した場合に上記使用者により他の単語情報グループを選択する段階を具備することを特徴とする。
【発明の効果】
【００１２】
本発明による不定期時間間隔で作動する単語情報アラーム装置は、不定期時間間隔で繰り返して表示される単語情報を使用者が見る或いは聞き取りすることで、暗記効果を極大化することができる。
【００１３】
すなわち、本発明では、一般的な端末機のメモリー技術(移動通信端末機に内蔵された電子辞書の機能)にアラーム機能を組み合わせたことで、前記アラーム機能は不定期(random) 時間間隔で作動して使用者が希望する暗記対象を不定期時間間隔で繰り返し(repeat)して強制的に接するようになることで、暗記効果を極大化できる。
【００１４】
また、本発明によれば、周期的アラームではなく不定期時間間隔でアラームが作動することで、使用者がアラーム周期に慣れることにより単語暗記の学習効果が落ちる問題点を補うものであり、さらに、単語が不定期時間間隔で繰り返して露出されることで、使用者が意識的に暗記しなくても自然に暗記することができる効果を期待することができる。
【００１５】
また、最近普遍化された電子辞典機能(例えば、移動通信端末機に搭載された）に単語を水準別グルーピング（Ｇｒｏｕｐｉｎｇ）により提供することにより、使用者は希望する水準の単語グループを選択すれば前記選択したグループの単語が自動的に表示されるので、使用者が移動通信端末機にいちいち単語情報を入力しなければならない問題点を補うことができる。
【００１６】
さらに、本発明の単語情報アラーム装置は、一つ以上の不定期時間間隔モードを提供するので、いちいち単語情報ごとに周期を指定しなければならない問題点を解決することができる。
【００１７】
さらにまた、本発明の無線インターネット自動接続機能が含まれた単語アラーム装置が移動通信端末機に適用される場合、使用者は、移動通信端末機の発信ボタンを押すだけで無線インターネットの英語単語サービスに接続することができる。したがって、接続手続きが簡素化されることにより、メモリー容量の限界によって単語情報をアラーム装置に無制限に提供することができないという問題点を解決することができる。
【図面の簡単な説明】
【００１８】
【図１】本発明による不定期時間間隔で作動する単語情報アラーム装置の構成図である。
【図２】本発明による不定期時間間隔で作動する単語情報アラーム方法の流れ図である。
【図３】本発明による不定期時間間隔で作動する単語情報アラーム方法で単語アラーム作動時に無線インターネットに自動接続する過程を示す流れ図である。
【発明を実施するための形態】
【００１９】
以下、添付図面を参照して、本発明の好ましい実施の形態について詳細に説明する。
【００２０】
図１は本発明による不定期時間間隔で作動する単語情報アラーム装置の構成図である。
【００２１】
本発明の単語情報アラーム装置は、キー入力部（１０２）、表示部（１０３）、メモリー部（１０４）、オーディオ変換部（１０５）、ＲＦ送受信部（１０６）、不定期時間間隔計算部（１０７）が制御部（１０１）に連結される。
【００２２】
ここで、制御部（１０１）は、単語情報アラーム装置の各部分を制御する。そして、制御部（１０１）は、キー入力部（１０２）から、キー入力信号を受信し、当該キー入力信号に対応する画像情報を表示するように表示部（１０３）を制御する。
【００２３】
また、不定期時間間隔で作動する単語情報アラーム機能が選択されれば、メモリー部（１０４）に保存された不定期時間間隔モードまたは不定期時間間隔の計算部（１０７）で計算された不定期時間間隔の中で一つが選択されて、暗記すべき単語情報グループが選択される。
【００２４】
該当機能の作動開始が選択されれば、スピーカー、震動器、表示部（１０３）を使用して最初の単語情報を表示する。以後、使用者によって選択された不定期時間間隔に従った次の単語情報表示時間が到来すれば、選択された単語情報グループで順にまたは任意の選択によって単語情報を表示する。
【００２５】
ここで、単語情報とは、単語の情報を言うことで、該当単語の意味、例文、活用、語彙などを含む。また、前記単語情報グループとは、暗記対象の単語を水準別、使用頻度別、カテゴリー別などの中で少なくともどれか一つ以上に分類して、各分類に少なくとも一つ以上の段階別の複数の単語が収集されたものである。
【００２６】
例えば、水準別の単語グループは、Ａグループ、Ｂグループ、Ｃグループなどで分けられ、Ａグループには初級水準の英語単語、Ｂグループには中級水準の英語単語、Ｃグループには高級水準の英語単語が複数収集される。さらには、使用頻度別、カテゴリー別などの多様な分類による単語グループも可能である。
【００２７】
各グループの単語は、任意または順に表示部を通じて不定期時間間隔により表示される。すなわち、各グループ内で単語手順をランダムで作動する任意的順序または各グループ内の単語手順を順に作動することによって、単語のアラームが不定期時間間隔で表示される。
【００２８】
Ａグループの単語の暗記が完了した場合、使用者は、他の単語情報グループを選択することができる。
【００２９】
そして、前述の制御部（１０１）と連結されるメモリー部（１０４）は、制御部（１０１）の処理及び制御のためのプログラムとデータを保存するためのロム（Ｒｅａｄ  Ｏｎｌｙ  Ｍｅｍｏｒｙ：ＲＯＭ）、制御部のワーキングメモリーを提供するラム（Ｒａｎｄｏｍ  Ａｃｃｅｓｓ  Ｍｅｍｏｒｙ：ＲＡＭ）及び更新可能な各種保管用データを保存するための領域を提供するフラッシュメモリー（Ｆｌａｓｈ  Ｍｅｍｏｒｙ）などを含む。
【００３０】
また、本発明の実施例による単語情報アラーム装置のメモリー部（１０４）は、暗記する単語情報グループを保存する第１の保存部と、使用者が選択することができる不定期時間間隔モードを保存する第２の保存部と、を具備する。
【００３１】
ここで、本発明が移動通信端末機に適用される場合、前記制御部（１０１）は、不定期時間間隔の単語アラーム機能が選択された後、不定期時間間隔によって単語情報がディスプレーになる時点で通信プロトコルによって他の移動通信端末機と通信する場合には、該当単語のアラーム機能は動作しないようにする。また、通信が終わった以後には、移動通信端末機は、その次の不定期時間間隔にあたる単語をディスプレーする。
【００３２】
表示部（１０３）は、ＬＣＤ（Ｌｉｑｕｉｄ  Ｃｒｙｓｔａｌ  Ｄｉｓｐｌａｙ）などで成り立つことができるし、単語情報アラーム装置で発生される各種表示データ及び単語情報を表示する。
【００３３】
また、オーディオ変換部（１０５）は、スピーカーと震動部が含まれ、該当単語のアラームをオーディオや震動に変換させる。
【００３４】
また、図１には示されなかったが、この単語情報アラーム装置は、単語情報を提供する時発音またはアラーム音も一緒に提供するようにする音響制御部及び音響発生部をさらに具備する。
【００３５】
すなわち、前記該当単語のアラームは、該当単語の発音またはアラーム音の中で少なくとも一つ以上が動作されるようにすることが望ましい。
【００３６】
キー入力部（１０２）は、キーパッド（Ｋｅｙ  Ｐａｄ）などで成り立つことができ、複数個の数字／文字入力キーと使用者とのインターフェースのための機能キー及び通話のためのキーなどを具備して、使用者により入力されるキー入力値を制御部（１０１）へ提供する。
【００３７】
ＲＦ送受信部（１０６）の受信部は、雑音の増幅を最大限抑制して希望信号を増幅し、中間周波数を経ってデジタル信号を生成させる。このデジタル信号は、制御部（１０１）で分析されて処理される。また、前記ＲＦ送受信部（１０６）の送信部は、前記制御部で生成された信号を希望周波数帯域に変調させ、続いて該信号を増幅させる。
【００３８】
ここで、不定期時間間隔は、メモリー部（１０４）に保存された不定期時間間隔モードを利用することもでき、不定期時間間隔の計算部（１０７）によって計算されて適用されることもできる。
【００３９】
本発明の望ましい実施のために通常の該当分野の技術者が適用することができる不定期時間間隔は、製作者の選択によって幾多の方法があり得る。本発明の主旨は、不定期時間間隔で作動する単語情報アラーム装置であり、この機能を具現する方法は、該当の発明の技術分野に対する通常の知識を持った者なら難しくない様々な方法により具現することができる。
【００４０】
これに対して幾多の具現方法の中で一般的な二つの実例を挙げれば、π値を利用した演算と時間値を利用した演算を利用して不定期時間間隔を求める。
【００４１】
一番目の方法としてπ値を利用した演算によれば、不定期時間間隔で作動する単語情報アラーム装置の機能が使用者により選択されれば、不定期時間間隔計算部（１０７）は、選択時点の移動通信端末機の時刻の秒の末位を認識する。例えば、末位の該当数字が４の場合（例えば、午前０９時  １１分  ２４秒）には、不定期時間間隔計算部（１０７）は、π値の段小数点以下の数字（３．１４２８５７１４２８５７１４・・・）を利用して不定期時間間隔を設定する。詳細には、末位の数字が４の場合、小数点の以下で４が初めて出る部分から始めて４，２，８，５，７，１，４，２，８，５，７，１，４，，，の順に、該当の数字に５分を掛けた時間を間隔とする不定期時間間隔を決めることができる。この場合、不定期時間間隔の間隔は、２０分，１０分，４０分，２５分，３５分，５分，２０分，１０分，４０分，２５分，３５分，５分，２０分，，，，，になる。ここで、該当の数字に掛ける時間値は、５分もしくはその他どのような時間値であっても可能である。
【００４２】
二番目の方法としては、初期値を利用して一定の演算を遂行することにより得られた値を使う方法がある。
【００４３】
初期値としては、同じ値が出ることができない時間値（例としては、１９７０年  １月  １日から現在まで経過した秒）を使う。ここで、初期値は、そのほかに３２ビットまたは３４ビットの値も使用可能である。
【００４４】
例えば、１から５０までの間の一の値をランダムに得て不定期時間間隔アラームに使おうとする場合、以下のような等式を満足する。
【００４５】
初期値  ＝  時間値；
乱数値  ＝  （  （初期値＊  １１０３５１５２４５  ＋  １２３４５）  ／  ６５５３６  ）／３２７６８  ；
次のアラームを鳴らす時間  ＝  乱数値／５１；
【００４６】
上の計算を通じて、０から３２７６７までの中で一つの乱数値をランダムに得ることができるし、その値を再び５１で割った残りの値を求めれば、これは１から５０までの数字のランダムな配列になる。
【００４７】
このようにして求めたランダム配列数に特定時間値（例えば５分や１０分）を掛ければ、５分から２５０までの不定期時間間隔の時間値を求めることができる。
【００４８】
上記二つの方法は、単なる一例である。本発明による不定期時間間隔で作動するアラーム装置機能を具現するための方法は、多様に具体化することが可能であって、通常のランダム関数発生器を利用して具現することもでき、あらかじめ使用者が選択することができるいろいろな不定期時間間隔モードをメモリー部（１０４）に保存して提供することもできる。
【００４９】
また、上記不定期時間間隔モードは、上記さまざまな方法によって算出された不定期時間間隔が少なくとも一つ以上のモードとしてメモリー部（１４０）に保存される。
【００５０】
例えば、モード１は２０分，１０分，４０分，２５分，３５分などとし、モード２は  ５分，２０分，１０分，４０分，２５分，３５分などとして、いくつかのモードとして不定期時間間隔が保存される。
【００５１】
したがって、本発明は上記方法に限定されるものではなく、本発明の技術的思想を逸脱しない範囲内でさまざまな方法で不定期時間間隔で作動する単語情報アラーム装置を具現することができるということは、本発明が属する技術分野で通常の知識を持った者において明白であろう。
【００５２】
上記で説明した本発明の単語アラーム装置は、該装置のメモリー容量の限界によって保存、提供することができる単語情報に限界があるので、移動通信端末機に適用した場合に、通信サービス提供者（プロバイダ）のサーバーを利用して単語アラームの提供を受けることができる。
【００５３】
本発明の単語アラーム装置の他の実施の形態として、通信サービスプロバイダのサーバーと移動通信端末機が無線通信で接続されて、上記通信サービスプロバイダのサーバーは、制御部（１０１）、メモリー部（１０４）、不定期時間間隔計算部（１０７）を具備し、移動通信端末機は、表示部（１０３）を具備する。
【００５４】
制御部（１０１）は、上記通信サービスプロバイダのサーバーの不定期時間間隔部（１０７）で計算された時間間隔でメモリー部（１０４）に保存された単語を、順次または任意に選択し、当該単語を無線通信を通じて移動通信端末機に送信する。続いて、当該送信された単語情報が上記移動通信端末機の表示部（１０３）でディスプレーされ、アラームが作動する。
【００５５】
例えば、上記単語アラームは、上記移動通信端末機のデスクトップ壁紙のコンテンツサービスに適用されることができる。
【００５６】
上記移動通信端末機は、上記サーバーのメモリー部（１０４）に保存された単語を、不定期時間間隔計算部（１０７）で計算された不定期時間間隔で上記サーバーから受信する。
【００５７】
その後、当該受信された単語は、上記移動通信端末機のデスクトップ壁紙の一部分またはポップアップ形態でディスプレーされて、該当の単語の発音またはアラーム音のような音響が出力される。
【００５８】
その次に、不定期時間間隔で通信サービスプロバイダから新しい単語が受信されれば、当該受信された単語情報がディスプレーされ、アラームが作動する。
【００５９】
上記で説明した内容は、単に本発明の原理を例示したものである。当業者は、たとえ本明細書に明確に説明されていない或いは図示されていなくても、本発明の原理を具現して本発明の概念と範囲に含まれた多様な装置を発明することができるものである。
【００６０】
図２は、本発明による不定期時間間隔で作動する単語情報アラーム方法の流れ図である。
【００６１】
本発明による不定期時間間隔で作動する単語情報アラーム方法は、使用者により不定期時間間隔で作動する単語情報アラーム機能が選択されれば、メモリーに保存された不定期時間間隔モードまたは不定期時間間隔計算部により算出された不定期時間間隔の中で一つが選択される段階；  上記使用者により暗記すべき単語情報グループが選択される段階；  移動通信端末機を通じて文字や音響の形態で単語情報を出力する段階；  暗記完了した単語情報を単語情報グループから除く段階；  及び、選択された単語情報グループの暗記が完了した場合、上記使用者により他の単語情報グループが選択される段階を具備する。
【００６２】
より詳しく説明すれば、図２に図示されたところのように、２０１段階で使用者が単語情報アラーム機能の使用選択キーを入力すれば、２０２段階へ進行する。
【００６３】
次に、２０２段階で単語情報アラーム機能時間間隔選択モードの中で定期時間間隔の作動選択キーが使用者によって入力されれば、２０３段階へ移行して単語情報アラーム作動時間間隔を入力した後、２０５段階へ移行する。また、２０２段階でアラーム機能時間間隔の選択モードの中で不定期時間間隔の作動選択キーが使用者によって入力されれば、２０４段階へ移行して、メモリーに保存された不定期時間間隔モードまたは不定期時間間隔計算部により計算された不定期時間間隔の中で一つを選択した後に、２０５段階へ移行する。
【００６４】
２０５段階で暗記すべき単語情報グループが選択されると、２０６段階へ移行する。２０６段階で使用者が単語情報アラーム機能の開始ボタンを選択すると、使用者が２０３または２０４段階で選択した時間間隔によって、２０５段階で選択された単語情報がアラームとともに表示される。これにより、使用者は、当該単語情報の暗記を行うこと、或いは単にその単語情報を見たり該単語の発音を聞くことが可能になる。すなわち、単語情報は、アラーム音とともに移動通信端末機の表示部（１０３）を通じて表示され、当該単語が文字または音響の内の少なくとも一つの形態で表示される。例えば、該単語は、単語のスペリング、例文などの文字形態で表示される、或いはアラーム音、単語の発音などのような音響で出力される。
【００６５】
使用者は、単語情報アラーム機能の遂行中の２０７段階で表示される該当単語の暗記が完了すれば、２０８段階で使用者が暗記完了選択キーを入力する。従って、使用者により暗記が完了した単語は、２０９段階で単語情報グループから除外される。一方、使用者は、該当の単語暗記が完了しなかった場合、２０８段階で使用者が暗記未了選択キーを入力し、これにより、該当の単語は暗記対象単語情報グループに残り、２０７段階へ再び戻って、２０７段階乃至２０９段階が繰り返される。
【００６６】
使用者は、２０７段階と２０８段階と２０９段階を繰り返して、選択した単語情報グループを皆暗記すれば、２１０段階で、選択した単語情報グループの全部暗記完了ボタンを使用者が選択して２１１段階へ移行する。
【００６７】
２１１段階で、使用者が他の単語情報グループのアラーム機能の遂行を欲する場合には、他の単語情報グループの暗記継続選択キーを入力して２１２段階へ移行する。一方、使用者が他の単語情報グループのアラーム機能の遂行を欲しない場合に、当該システムは終了する。
【００６８】
２１２段階で、使用者が単語情報アラーム機能時間の周期を変更しようとする場合、アラーム機能時間周期の変更選択キーを使用者が入力して２０２段階へ移行して上記システムを実行する。一方、使用者が単語情報アラーム機能時間の周期の変更を欲しない場合、２０５段階へ移行して暗記する単語情報グループを選択し、上記システムを再実行する。
【００６９】
図３は、本発明による不定期時間間隔で作動する単語情報アラーム方法で単語アラーム作動のときに無線インターネットに自動接続する過程を表した流れ図である。
【００７０】
本発明の単語情報アラーム装置が移動通信端末機に適用される場合、上記単語情報アラーム装置のメモリー部（１０４）は、通信サービスプロバイダの単語学習サービスの無線インターネット接続の識別番号を持つ単語情報を保存する。
【００７１】
また、上記制御部（１０１）は、上記無線インターネット接続の識別番号を持つ単語のアラームの作動時に使用者が発信ボタンを押せば、表示された単語情報に対応する無線インターネット接続の識別番号を通じて移動通信端末機が無線インターネットのサービスと自動で接続するようにすることを許可する。
【００７２】
移動通信端末機で単語アラームが作動すれば、ベルまたは震動によりアラームが作動して該当の単語がディスプレーされる。また、上記該当単語は、例えば  ＊８８のような無線インターネット接続識別番号を有する。
【００７３】
使用者が上記該当単語に関連する情報を無線インターネットで詳細に学習するために発信ボタンを押せば、移動通信端末機は、無線インターネット接続の識別番号である例えば  ＊８８に自動で繋がれて、無線インターネット画面に接続される。
【００７４】
ここで、使用者が加入通信サービスプロバイダを変更する場合、ＲＦ送受信部または専用ケーブルに変更された通信サービスプロバイダの単語学習サービスの無線インターネット接続の識別番号を持つ単語情報をメモリー部に新たに保存することができる。すなわち、通信サービスプロバイダごとに無線インターネット接続の識別番号が異なるものとすることができるので、通信サービスプロバイダが変更される場合、変更された通信サービスプロバイダから提供する無線インターネット接続の識別番号を持つ単語情報をメモリー部に新たに保存する。
【００７５】
また、上記単語情報は、移動通信端末機が上記単語学習サービスで該当の単語情報が開始された画面に直接接続することができる学習情報接続の識別番号をさらに具備するのが望ましい。
【００７６】
例えば、「ｐａｔｅｎｔ」という英語単語は、例えば＊８８の無線インターネット接続の識別番号だけでなく、例えば＊８８１２の学習情報接続の識別番号を具備する。
【００７７】
上記「ｐａｔｅｎｔ」という単語のアラームが作動すれば、例えば＊８８である無線インターネット接続の識別番号が付与されるので、使用者が発信ボタンを押せば、移動通信端末機は、無線インターネット接続の識別番号である例えば＊８８に自動で繋がれて（dial）、無線インターネットの単語学習サービスのメイン画面に接続する。したがって、上記単語学習サービスに移動通信端末機が接続した状態で、使用者は、該当の単語情報が開始された画面を探して該当の英語単語情報を見ること、或いは上記アラームが動作された単語以外の他の英語単語を見回すことができる。
【００７８】
また、「ｐａｔｅｎｔ」という単語には、例えば  ＊８８１２である学習情報接続の識別番号も付与される。したがって、付加的にディスプレーされる学習情報接続の識別番号である例えば＊８８１２を使用者が選択して発信ボタンを押せば、移動通信端末機は、上記アラームで該当の単語情報が開始された画面に直接接続することもできる。すなわち、上記学習情報接続の識別番号を使えば、移動通信端末機は、上記「ｐａｔｅｎｔ」の意味、活用、例文などの該当の単語情報が表示された画面に直接接続する。
【００７９】
整理すると、単語のアラーム機能が作動する場合に、当該単語に基本的なフォーマットで無線インターネット接続の識別番号が付与されるので、使用者が発信ボタンを押せば、移動通信端末機が無線インターネットを通じて提供される単語学習サービスのメイン画面に接続される。さらに、付加的にディスプレーされる学習情報の接続識別番号を使用者が選択して発信ボタンを押せば、移動通信端末機は、該当の単語情報が表示された画面に直接接続する。
【００８０】
または、単語のアラーム機能が作動する場合に、当該単語に基本的なフォーマットで学習情報の接続識別番号が付与されるので、使用者が発信ボタンを押せば、移動通信端末機は、該当の単語情報が表示された画面に直接接続する。さらに、付加的にディスプレーされる無線インターネットの接続識別番号を使用者が選択して発信ボタンを押せば、移動通信端末機は、無線インターネットを通じて提供される単語学習サービスのメイン画面に接続する。
【００８１】
すなわち、単語に対して無線インターネット接続の識別番号または学習情報接続の識別番号の中で少なくとも一つ以上が付与されるので、移動通信端末機は、無線インターネットを通じて提供される単語学習サービスのメイン画面に接続する、或いは該当の単語情報が開始された画面に直接接続することができる。
【００８２】
このような単語情報アラーム装置が適用される単語情報アラーム方法で単語アラーム作動時に移動通信端末機が無線インターネットに自動接続する過程は、図３に示される。
【００８３】
図３に示したところのように、本発明の単語情報アラーム方法は、単語情報アラーム装置の単語アラーム機能作動を選択して単語アラーム機能を開始する段階（３０１）、単語アラーム時点になればアラームとともに無線インターネットの接続識別番号を有する単語情報を表示する段階（３０２）、単語アラーム機能が作動された場合に使用者により無線インターネット接続を通じた追加学習の可否を決定する段階（３０３）、及び使用者が無線インターネット接続を希望する場合に発信ボタンを押して使用者が使う通信サービスプロバイダの無線インターネット英語単語サービスに移動通信端末機が自動で接続する段階（３０４）を含む。
【００８４】
まず、単語アラーム機能作動を選択して始める段階（３０１）では、使用者は、単語情報アラーム装置に保存された水準別単語グループの中で所望の単語グループを選択して、単語アラームが作動する時間間隔を設定する。
【００８５】
かかる使用者は、アラームの方式として、ベル、震動、ＬＥＤなどの方式を選択することができる。続いて、単語アラームのための単語の水準、アラーム間隔、アラーム方式などを選択して確認ボタンを押せば、単語アラーム機能が開始される。
【００８６】
次に、アラームとともに無線インターネット接続の識別番号を持つ単語情報を表示する段階（３０２）で、単語アラーム時点が到来すると、暗記すべき単語が表示されるとともに、３０１段階で使用者が設定したアラーム方式に従って単語アラームが作動する。使用者は、不定期的に作動する単語アラームを通じて当該単語を見る或いは当該単語の発音を聴く行為を繰り返すことによって、語彙能力を向上させることができる。
【００８７】
その次の単語アラームが作動すれば、使用者が無線インターネット接続を通じた追加学習の可否を決める段階（３０３）を通じて、無線インターネット接続を用いた追加学習の可否を決める。
【００８８】
単語アラーム機能は、通信ネットワークを通じて通信サービスプロバイダのサーバーの情報を提供する方式ではないので、単語情報アラーム装置の自機メモリー容量の限界によって保存、提供することができる単語情報に限界がある。従って、使用者がアラーム作動により表示された単語情報に対してより多くの情報を学習することを希望する場合、当該使用者は、無線インターネット機能を活用して通信サービスプロバイダのサービスを利用できる。
【００８９】
３０３段階で、無線インターネット接続を希望する場合、使用者が発信ボタンを押せば、移動通信端末機は、使用者が加入した通信サービスプロバイダの無線インターネットの英語単語サービスに自動で接続する段階（３０４）へ移行する。
【００９０】
すなわち、使用者が無線インターネットの接続識別番号を持つ単語アラームが移動通信端末機の表示窓に表示されている状態で無線インターネットを通じた追加学習を希望する場合、使用者が３０３段階で発信ボタンを押せば、移動通信端末機は、無線インターネットの単語学習サービスに自動接続（３０４段階）する。
【００９１】
一方、使用者が単語アラームが表示窓に表示されている状態で無線インターネットを通じた追加学習を希望しない場合には、使用者が取り消しボタンを押すことで、単語アラームを終了することができる。
【００９２】
単語情報アラーム装置の単語アラーム機能のためにメモリー部に保存された単語情報は、それぞれの単語が通信サービスプロバイダの無線インターネット接続番号をそれぞれ異なるように持つことができる。これを通じて無線インターネットの接続識別番号を持つ単語アラームに表示された単語で使用者が発信ボタンを押せば、移動通信端末機は、無線インターネットを通じて、該当単語と関連した追加単語学習サービスに接続することができる。
【００９３】
このような単語情報アラーム装置は、移動通信端末機、ナビゲーションシステム、ＭＰ３プレイヤー、ポータブルゲーム機、ポータブル時計、カーオーディオシステム、ＰＭＰ（ポータブル  マルチメディア  プレイヤー）、ＰＳＰ（プレイステーション  ポータブル）、電子辞典、デジタルカメラ、おもちゃ、乳児用コンピューター、ポータブルノートパソコン、学習器機などを含み、かつ、これらのみならず、使用者の暗記を助けることができる装置であれば、そのような装置のいずれにも制限されないであろう。
【００９４】
本発明は、記載した実施例に限定されるものではなく、本発明の思想及び範囲を脱しないで多様に修正及び変形することができることは、この技術の分野で通常の知識を持った者に自明である。したがって、そのような変形例または修正例らは、本発明の特許請求の範囲に属するものと解釈すべきである。
【産業上の利用可能性】
【００９５】
本発明は、移動通信端末機、ナビゲーションシステム、ＭＰ３プレイヤー、ポータブルゲーム機、ポータブル時計、カーオーディオシステム、ＰＭＰ（ポータブル  マルチメディア  プレイヤー）、ＰＳＰ（プレイステーション  ポータブル）、電子辞典、デジタルカメラ、おもちゃ、乳児用コンピューター、ポータブルノート・パソコン、学習器機に適用することができる。
【図１】
2011516905.tif 000003
【図２】
2011516905.tif 000004
【図３】
2011516905.tif 000005
【国際調査報告】
2011516905.tif 000006
2011516905.tif 000007